(57)【要約】【課題】携帯端末の紛失や盗難にあった際、携帯端末のデータが悪用されることを早期に防止し、データへのアクセスを遮断する携帯端末データ記憶システムを提供する。【解決手段】携帯電話機データ記憶システム１００は、携帯電話機１と、電話帳データを送受信可能なネットワークサーバ３０とを備えている。携帯電話機１は、電話帳データをネットワークサーバ３０に移動する電話帳制御部２１と、携帯電話機１の使用可能な場所を現在地と目的地として設定し、設定された現在地と目的地を接続する交通機関から、行き交う任意の経路を選択する設定記憶部２４と、携帯電話機１の現在位置する位置情報を取得するＧＰＳ制御部２７と、取得した位置情報と、設定記憶部２４によって設定された、現在地及び目的地と、選択された任意の経路とに基づいて、携帯電話機１が使用可能か否かを判定する現在位置判別部２８と、を備えている。【選択図】図１
2009260829.tif 000002
【特許請求の範囲】
【請求項１】
携帯端末と、前記携帯端末が有するデータを送受信可能な記憶装置とを備えた携帯端末データ記憶システムであって、
前記携帯端末は、
当該携帯端末が有するデータを、前記記憶装置に移動する端末データ移動手段と、
ユーザによる前記携帯端末の使用可能な場所を、第１の使用可能エリアとして設定するとともに、前記第１の使用可能エリアと異なる場所であって当該携帯端末の使用可能な場所を、第２の使用可能エリアとして設定する端末使用範囲設定手段と、
設定された前記第１の使用可能エリアと前記第２の使用可能エリアを接続する交通機関から、行き交う任意の経路を選択する経路選択手段と、
前記携帯端末の現在位置する位置情報を取得する位置情報取得手段と、
前記位置情報取得手段によって取得した前記位置情報と、前記端末使用範囲設定手段によって設定された前記第１の使用可能エリア及び前記第２の使用可能エリアと、前記経路選択手段によって選択された前記任意の経路とに基づいて、当該携帯端末が使用可能か否かを判定する端末使用可否判定手段と、を備え、
前記記憶装置は、
前記端末データ移動手段によって移動された前記携帯端末の前記データを、前記携帯端末から受信する装置データ受信手段と、
前記携帯端末から当該記憶装置に接続されたときに、当該記憶装置が受信した前記データを、前記携帯端末に送信する装置データ送信手段と、を備え、
前記端末使用可否判定手段は、
前記位置情報取得手段によって取得した前記位置情報が、前記端末使用範囲設定手段によって設定された前記第１の使用可能エリア若しくは前記第２の使用可能エリア、又は前記経路選択手段によって選択された前記任意の経路上に属している場合には、当該携帯端末を使用可能と判定し、当該携帯端末を前記記憶装置に接続して当該携帯端末の前記データを受信し、
一方、前記位置情報取得手段によって取得した前記位置情報が、前記端末使用範囲設定手段によって設定された前記第１の使用可能エリア若しくは前記第２の使用可能エリア、又は前記経路選択手段によって選択された前記任意の経路上に属していない場合には、当該携帯端末を使用不可と判定し、当該携帯端末を前記記憶装置に接続させない
ことを特徴とする携帯端末データ記憶システム。
【請求項２】
前記第１の使用可能エリアと前記第２の使用可能エリアは、
現在地と目的地の位置情報によって設定されることを特徴とする請求項１に記載の携帯端末データ記憶システム。
【請求項３】
前記現在位置する位置情報は、
衛星位置測位システム又は無線ＬＡＮによる位置測位システムによって取得する
ことを特徴とする請求項１又は２に記載の携帯端末データ記憶システム。
【請求項４】
前記端末使用範囲設定手段は、
前記携帯端末の使用可能な場所を追加して、追加使用可能エリアを設定する追加エリア設定手段を含み、
前記経路選択手段は、
前記第１の使用可能エリア又は前記第２の使用可能エリアから、前記追加エリア設定手段によって設定された前記追加使用可能エリアまでの所定の経路を選択する追加経路選択手段を含み、
前記端末使用可否判定手段は、
前記追加エリア設定手段によって設定された前記追加使用可能エリアと、前記第１の使用可能エリア又は前記第２の使用可能エリアから、前記追加経路選択手段によって選択された前記追加使用可能エリアまでの所定の経路に基づいて、当該携帯端末が使用可能か否かを判定する追加経路判定手段を、
含むことを特徴とする請求項１乃至３の何れか１項に記載の携帯端末データ記憶システム。
【請求項５】
自端末が有するデータを外部に送受信可能な携帯端末であって、
当該携帯端末が有するデータを、外部に移動する端末データ移動手段と、
ユーザによる当該携帯端末の使用可能な場所を、第１の使用可能エリアとして設定するとともに、前記第１の使用可能エリアと異なる場所であって当該携帯端末の使用可能な場所を、第２の使用可能エリアとして設定する端末使用範囲設定手段と、
設定された前記第１の使用可能エリアと前記第２の使用可能エリアを接続する交通機関から、行き交う任意の経路を選択する経路選択手段と、
当該携帯端末の現在位置する位置情報を取得する位置情報取得手段と、
前記位置情報取得手段によって取得した前記位置情報と、前記端末使用範囲設定手段によって設定された前記第１の使用可能エリア及び前記第２の使用可能エリアと、前記経路選択手段によって選択された前記任意の経路とに基づいて、当該携帯端末が使用可能か否かを判定する端末使用可否判定手段と、を備え、
前記端末使用可否判定手段は、
前記位置情報取得手段によって取得した前記位置情報が、前記端末使用範囲設定手段によって設定された前記第１の使用可能エリア若しくは前記第２の使用可能エリア、又は前記経路選択手段によって選択された前記任意の経路上に属している場合には、当該携帯端末を使用可能と判定し、当該携帯端末を外部に接続して当該携帯端末の前記データを受信し、
一方、前記位置情報取得手段によって取得した前記位置情報が、前記端末使用範囲設定手段によって設定された前記第１の使用可能エリア若しくは前記第２の使用可能エリア、又は前記経路選択手段によって選択された前記任意の経路上に属していない場合には、当該携帯端末を使用不可と判定し、当該携帯端末を外部に接続させない
ことを特徴とする携帯端末。
【請求項６】
前記外部は、
前記携帯端末に設けることが可能な外部記憶部であることを特徴とする請求項５に記載の携帯端末。
【請求項７】
携帯端末と、前記携帯端末が有するデータを送受信可能な記憶装置とを備えた携帯端末データ記憶システムにおけるデータ記憶方法であって、
前記携帯端末が、当該携帯端末が有するデータを、前記記憶装置に移動する端末データ移動ステップと、
前記記憶装置が、前記端末データ移動ステップにおいて移動された前記携帯端末の前記データを受信する装置データ受信ステップと、
前記携帯端末が、ユーザによる当該携帯端末の使用可能な場所を、第１の使用可能エリアとして設定するとともに、前記第１の使用可能エリアと異なる場所であって当該携帯端末の使用可能な場所を、第２の使用可能エリアとして設定する端末使用範囲設定ステップと、
前記携帯端末が、設定された前記第１の使用可能エリアと前記第２の使用可能エリアを接続する交通機関から、行き交う任意の経路を選択する経路選択ステップと、
前記携帯端末が、当該携帯端末の現在位置する位置情報を取得する位置情報取得ステップと、
前記携帯端末が、前記位置情報取得ステップにおいて取得した前記位置情報と、前記端末使用範囲設定ステップにおいて設定された前記第１の使用可能エリア及び前記第２の使用可能エリアと、前記経路選択ステップにおいて選択された前記任意の経路とに基づいて、当該携帯端末が使用可能か否かを判定する端末使用可否判定ステップと、
前記携帯端末が、前記端末使用可否判定ステップにおいて、前記位置情報取得ステップにおいて取得した前記位置情報が、前記端末使用範囲設定ステップにおいて設定された前記第１の使用可能エリア若しくは前記第２の使用可能エリア、又は前記経路選択ステップにおいて選択された前記任意の経路上に属している場合には、当該携帯端末を使用可能と判定し、当該携帯端末を前記記憶装置に接続する端末接続ステップと、
前記記憶装置が、前記端末接続ステップにおいて前記携帯端末から当該記憶装置に接続されたときは、前記装置データ受信ステップにおいて受信した前記データを、当該携帯端末に送信する装置データ送信ステップと、
前記携帯端末が、前記端末接続ステップによって送信される当該携帯端末の前記データを受信する端末データ受信ステップと、
前記携帯端末が、前記端末使用可否判定ステップにおいて、前記位置情報取得ステップにおいて取得した前記位置情報が、前記端末使用範囲設定ステップにおいて設定された前記第１の使用可能エリア若しくは前記第２の使用可能エリア、又は前記経路選択ステップにおいて選択された前記任意の経路上に属していない場合には、当該携帯端末を使用不可と判定し、当該携帯端末を前記記憶装置に接続させない端末使用不可ステップと、
を含むことを特徴とするデータ記憶方法。
【請求項８】
前記第１の使用可能エリアと前記第２の使用可能エリアは、
現在地と目的地の位置情報によって設定されることを特徴とする請求項７に記載のデータ記憶方法。
【請求項９】
前記現在位置する位置情報は、
衛星位置測位システム又は無線ＬＡＮによる位置測位システムによって取得する
ことを特徴とする請求項７又は８に記載のデータ記憶方法。
【請求項１０】
前記端末使用範囲設定ステップは、
前記携帯端末が、前記携帯端末の使用可能な場所を追加して、追加使用可能エリアを設定する追加エリア設定ステップを含み、
前記経路選択ステップは、
前記携帯端末が、前記第１の使用可能エリア又は前記第２の使用可能エリアから、前記追加エリア設定ステップにおいて設定された前記追加使用可能エリアまでの所定の経路を選択する追加経路選択ステップを含み、
前記端末使用可否判定ステップは、
前記携帯端末が、前記追加エリア設定ステップにおいて設定された前記追加使用可能エリアと、前記第１の使用可能エリア又は前記第２の使用可能エリアから、前記追加エリア設定ステップにおいて設定された前記追加使用可能エリアまでの所定の経路とに基づいて、当該携帯端末が使用可能か否かを判定する追加経路判定ステップを、
含むことを特徴とする請求項７乃至９の何れか１項に記載のデータ記憶方法。
【請求項１１】
自端末が有するデータを外部に送受信可能な携帯端末におけるデータ管理方法であって、
当該携帯端末が有する前記データを、外部に移動する端末データ移動ステップと、
ユーザによる当該携帯端末の使用可能な場所を、第１の使用可能エリアとして設定するとともに、前記第１の使用可能エリアと異なる場所であって当該携帯端末の使用可能な場所を、第２の使用可能エリアとして設定する端末使用範囲設定ステップと、
設定された前記第１の使用可能エリアと前記第２の使用可能エリアを接続する交通機関から、行き交う任意の経路を選択する経路選択ステップと、
当該携帯端末の現在位置する位置情報を、前記携帯端末から取得する位置情報取得ステップと、
前記位置情報取得ステップにおいて取得した前記位置情報と、前記端末使用範囲設定ステップにおいて設定された前記第１の使用可能エリア及び前記第２の使用可能エリアと、前記経路選択ステップにおいて選択された前記任意の経路とに基づいて、当該携帯端末が使用可能か否かを判定する端末使用可否判定ステップと、
前記端末使用可否判定ステップにおいて、前記位置情報取得ステップにおいて取得した前記位置情報が、前記端末使用範囲設定ステップにおいて設定された前記第１の使用可能エリア若しくは前記第２の使用可能エリア、又は前記経路選択ステップによって選択された前記任意の経路上に属している場合には、当該携帯端末を使用可能と判定し、当該携帯端末を外部に接続して当該携帯端末の前記データを受信する端末データ受信ステップと、
前記端末使用可否判定ステップにおいて、前記位置情報取得ステップにおいて取得した前記位置情報が、前記端末使用範囲設定ステップにおいて設定された前記第１の使用可能エリア若しくは前記第２の使用可能エリア、又は前記経路選択ステップにおいて選択された前記任意の経路上に属していない場合には、当該携帯端末を使用不可と判定し、当該携帯端末を外部に接続させない端末使用不可ステップと、
を含むことを特徴とするデータ管理方法。
【請求項１２】
自端末が有するデータを外部に送受信可能な携帯端末におけるデータ管理プログラムであって、
当該携帯端末が有する前記データを、外部に移動する端末データ移動手順と、
ユーザによる当該携帯端末の使用可能な場所を、第１の使用可能エリアとして設定するとともに、前記第１の使用可能エリアと異なる場所であって当該携帯端末の使用可能な場所を、第２の使用可能エリアとして設定する端末使用範囲設定手順と、
設定された前記第１の使用可能エリアと前記第２の使用可能エリアを接続する交通機関から、行き交う任意の経路を選択する経路選択手順と、
当該携帯端末の現在位置する位置情報を取得する位置情報取得手順と、
前記位置情報取得手順によって取得した前記位置情報と、前記端末使用範囲設定手順によって設定された前記第１の使用可能エリア及び前記第２の使用可能エリアと、前記経路選択手順によって選択された前記任意の経路とに基づいて、当該携帯端末が使用可能か否かを判定する端末使用可否判定手順と、を備え、
前記端末使用可否判定手順は、
前記位置情報取得手順によって取得した前記位置情報が、前記端末使用範囲設定手順によって設定された前記第１の使用可能エリア若しくは前記第２の使用可能エリア、又は前記経路選択手順によって選択された前記任意の経路上に属している場合には、当該携帯端末を使用可能と判定し、当該携帯端末を外部に接続して当該携帯端末の前記データを受信し、
一方、前記位置情報取得手順によって取得した前記位置情報が、前記端末使用範囲設定手順によって設定された前記第１の使用可能エリア若しくは前記第２の使用可能エリア、又は前記経路選択手順によって選択された前記任意の経路上に属していない場合には、当該携帯端末を使用不可と判定し、当該携帯端末を外部に接続させない
ことをコンピュータに実行させることを特徴とするデータ管理プログラム。
【発明の詳細な説明】
【技術分野】
【０００１】
本発明は、携帯端末データ記憶システム、携帯端末、データ記憶方法及びデータ管理方法に関する。
【背景技術】
【０００２】
近年、携帯電話に関する技術の進歩とともに携帯電話が普及している。また、最近の携帯電話は、小型化が図られ、携帯性が高められている。
【０００３】
そのため、携帯電話は、誰にでも持ち運びが非常に容易となっている。
【０００４】
ところで、携帯電話のユーザは、平日は、通勤や通学時に持ち運ぶことが主であり、休日は、行き先を決定してから外出することが多い。
【０００５】
そのため、ユーザが携帯電話を持ち運ぶ範囲は、ある程度、予め決まっているものと考えられる。
【０００６】
そして、万一、携帯電話が盗難や予期せぬ事故等に遭遇した場合には、その携帯電話を悪用される可能性が発生する。
【０００７】
ところが、携帯電話が悪用される場合には、盗難や予期せぬ事故等の発生した場所で使用されることは通常少なく、多くの場合は場所を変え、別の場所において使用されることが多い。
【０００８】
そのため、携帯電話が盗難や予期せぬ事故等に遭遇した場合には、これらの事故等が発生した場所と異なる場所において、携帯電話が悪用されることを防ぐ必要がある。
【０００９】
そこで、関連する技術として特許文献１には、携帯端末に予め閲覧可能なエリアを１つ設定し、現在の位置情報がその閲覧可能なエリア情報から持ち出されたときに、その携帯端末に表示される情報を削除する携帯表示装置に関するものが記載されている。
【００１０】
また、関連する技術として特許文献２には、携帯電話からサーバに接続要求を送信し、送信される携帯電話の端末固有ＩＤ（identification）とサーバが有する端末固有ＩＤによって判定処理を行い、双方の端末固有ＩＤが一致するときに接続可能と判定するサーバ装置に関するものが記載されている。
【特許文献１】特開２００６−２２７５１７号公報
【特許文献２】特開２００８−５３０８号公報
【発明の開示】
【発明が解決しようとする課題】
【００１１】
ところで、携帯電話には、電話番号や住所などの個人情報が非常に多く含まれている。従って、近年では、もっとも取り扱いに注意を払うべき情報媒体の１つとなっている。
【００１２】
しかしながら、ユーザは携帯電話をどこにでも容易に持ち運ぶことができるとともに、いつでも使用することができるので、携帯性が高い分だけ紛失する可能性が非常に高くなっている。
【００１３】
そのため、個人情報の流出の恐れにもつながり、その携帯電話を入手した者によっては、携帯電話の個人情報が悪用されてしまう、という問題があった。
【００１４】
本発明は上記事情に鑑みてなされたものであり、その目的とするところは、携帯端末の紛失や盗難にあった際、携帯端末のデータが悪用されることを早期に防止し、データへのアクセスを遮断する携帯端末データ記憶システム、携帯端末、データ記憶方法及びデータ管理方法を提供することにある。
【課題を解決するための手段】
【００１５】
本発明によれば、携帯端末と、前記携帯端末が有するデータを送受信可能な記憶装置とを備えた携帯端末データ記憶システムであって、
前記携帯端末は、
当該携帯端末が有するデータを、前記記憶装置に移動する端末データ移動手段と、
ユーザによる前記携帯端末の使用可能な場所を、第１の使用可能エリアとして設定するとともに、前記第１の使用可能エリアと異なる場所であって当該携帯端末の使用可能な場所を、第２の使用可能エリアとして設定する端末使用範囲設定手段と、
設定された前記第１の使用可能エリアと前記第２の使用可能エリアを接続する交通機関から、行き交う任意の経路を選択する経路選択手段と、
前記携帯端末の現在位置する位置情報を取得する位置情報取得手段と、
前記位置情報取得手段によって取得した前記位置情報と、前記端末使用範囲設定手段によって設定された前記第１の使用可能エリア及び前記第２の使用可能エリアと、前記経路選択手段によって選択された前記任意の経路とに基づいて、当該携帯端末が使用可能か否かを判定する端末使用可否判定手段と、を備え、
前記記憶装置は、
前記端末データ移動手段によって移動された前記携帯端末の前記データを、前記携帯端末から受信する装置データ受信手段と、
前記携帯端末から当該記憶装置に接続されたときに、当該記憶装置が受信した前記データを、前記携帯端末に送信する装置データ送信手段と、を備え、
前記端末使用可否判定手段は、
前記位置情報取得手段によって取得した前記位置情報が、前記端末使用範囲設定手段によって設定された前記第１の使用可能エリア若しくは前記第２の使用可能エリア、又は前記経路選択手段によって選択された前記任意の経路上に属している場合には、当該携帯端末を使用可能と判定し、当該携帯端末を前記記憶装置に接続して当該携帯端末の前記データを受信し、
一方、前記位置情報取得手段によって取得した前記位置情報が、前記端末使用範囲設定手段によって設定された前記第１の使用可能エリア若しくは前記第２の使用可能エリア、又は前記経路選択手段によって選択された前記任意の経路上に属していない場合には、当該携帯端末を使用不可と判定し、当該携帯端末を前記記憶装置に接続させない
ことを特徴とする携帯端末データ記憶システムが提供される。
【００１６】
本発明によれば、自端末が有するデータを外部に送受信可能な携帯端末であって、
当該携帯端末が有するデータを、外部に移動する端末データ移動手段と、
ユーザによる当該携帯端末の使用可能な場所を、第１の使用可能エリアとして設定するとともに、前記第１の使用可能エリアと異なる場所であって当該携帯端末の使用可能な場所を、第２の使用可能エリアとして設定する端末使用範囲設定手段と、
設定された前記第１の使用可能エリアと前記第２の使用可能エリアを接続する交通機関から、行き交う任意の経路を選択する経路選択手段と、
当該携帯端末の現在位置する位置情報を取得する位置情報取得手段と、
前記位置情報取得手段によって取得した前記位置情報と、前記端末使用範囲設定手段によって設定された前記第１の使用可能エリア及び前記第２の使用可能エリアと、前記経路選択手段によって選択された前記任意の経路とに基づいて、当該携帯端末が使用可能か否かを判定する端末使用可否判定手段と、を備え、
前記端末使用可否判定手段は、
前記位置情報取得手段によって取得した前記位置情報が、前記端末使用範囲設定手段によって設定された前記第１の使用可能エリア若しくは前記第２の使用可能エリア、又は前記経路選択手段によって選択された前記任意の経路上に属している場合には、当該携帯端末を使用可能と判定し、当該携帯端末を外部に接続して当該携帯端末の前記データを受信し、
一方、前記位置情報取得手段によって取得した前記位置情報が、前記端末使用範囲設定手段によって設定された前記第１の使用可能エリア若しくは前記第２の使用可能エリア、又は前記経路選択手段によって選択された前記任意の経路上に属していない場合には、当該携帯端末を使用不可と判定し、当該携帯端末を外部に接続させない
ことを特徴とする携帯端末が提供される。
【００１７】
本発明によれば、携帯端末と、前記携帯端末が有するデータを送受信可能な記憶装置とを備えた携帯端末データ記憶システムにおけるデータ記憶方法であって、
前記携帯端末が、当該携帯端末が有するデータを、前記記憶装置に移動する端末データ移動ステップと、
前記記憶装置が、前記端末データ移動ステップにおいて移動された前記携帯端末の前記データを受信する装置データ受信ステップと、
前記携帯端末が、ユーザによる当該携帯端末の使用可能な場所を、第１の使用可能エリアとして設定するとともに、前記第１の使用可能エリアと異なる場所であって当該携帯端末の使用可能な場所を、第２の使用可能エリアとして設定する端末使用範囲設定ステップと、
前記携帯端末が、設定された前記第１の使用可能エリアと前記第２の使用可能エリアを接続する交通機関から、行き交う任意の経路を選択する経路選択ステップと、
前記携帯端末が、当該携帯端末の現在位置する位置情報を取得する位置情報取得ステップと、
前記携帯端末が、前記位置情報取得ステップにおいて取得した前記位置情報と、前記端末使用範囲設定ステップにおいて設定された前記第１の使用可能エリア及び前記第２の使用可能エリアと、前記経路選択ステップにおいて選択された前記任意の経路とに基づいて、当該携帯端末が使用可能か否かを判定する端末使用可否判定ステップと、
前記携帯端末が、前記端末使用可否判定ステップにおいて、前記位置情報取得ステップにおいて取得した前記位置情報が、前記端末使用範囲設定ステップにおいて設定された前記第１の使用可能エリア若しくは前記第２の使用可能エリア、又は前記経路選択ステップにおいて選択された前記任意の経路上に属している場合には、当該携帯端末を使用可能と判定し、当該携帯端末を前記記憶装置に接続する端末接続ステップと、
前記記憶装置が、前記端末接続ステップにおいて前記携帯端末から当該記憶装置に接続されたときは、前記装置データ受信ステップにおいて受信した前記データを、当該携帯端末に送信する装置データ送信ステップと、
前記携帯端末が、前記端末接続ステップによって送信される当該携帯端末の前記データを受信する端末データ受信ステップと、
前記携帯端末が、前記端末使用可否判定ステップにおいて、前記位置情報取得ステップにおいて取得した前記位置情報が、前記端末使用範囲設定ステップにおいて設定された前記第１の使用可能エリア若しくは前記第２の使用可能エリア、又は前記経路選択ステップにおいて選択された前記任意の経路上に属していない場合には、当該携帯端末を使用不可と判定し、当該携帯端末を前記記憶装置に接続させない端末使用不可ステップと、
を含むことを特徴とするデータ記憶方法が提供される。
【００１８】
本発明によれば、自端末が有するデータを外部に送受信可能な携帯端末におけるデータ管理方法であって、
当該携帯端末が有する前記データを、外部に移動する端末データ移動ステップと、
ユーザによる当該携帯端末の使用可能な場所を、第１の使用可能エリアとして設定するとともに、前記第１の使用可能エリアと異なる場所であって当該携帯端末の使用可能な場所を、第２の使用可能エリアとして設定する端末使用範囲設定ステップと、
設定された前記第１の使用可能エリアと前記第２の使用可能エリアを接続する交通機関から、行き交う任意の経路を選択する経路選択ステップと、
当該携帯端末の現在位置する位置情報を、前記携帯端末から取得する位置情報取得ステップと、
前記位置情報取得ステップにおいて取得した前記位置情報と、前記端末使用範囲設定ステップにおいて設定された前記第１の使用可能エリア及び前記第２の使用可能エリアと、前記経路選択ステップにおいて選択された前記任意の経路とに基づいて、当該携帯端末が使用可能か否かを判定する端末使用可否判定ステップと、
前記端末使用可否判定ステップにおいて、前記位置情報取得ステップにおいて取得した前記位置情報が、前記端末使用範囲設定ステップにおいて設定された前記第１の使用可能エリア若しくは前記第２の使用可能エリア、又は前記経路選択ステップによって選択された前記任意の経路上に属している場合には、当該携帯端末を使用可能と判定し、当該携帯端末を外部に接続して当該携帯端末の前記データを受信する端末データ受信ステップと、
前記端末使用可否判定ステップにおいて、前記位置情報取得ステップにおいて取得した前記位置情報が、前記端末使用範囲設定ステップにおいて設定された前記第１の使用可能エリア若しくは前記第２の使用可能エリア、又は前記経路選択ステップにおいて選択された前記任意の経路上に属していない場合には、当該携帯端末を使用不可と判定し、当該携帯端末を外部に接続させない端末使用不可ステップと、
を含むことを特徴とするデータ管理方法が提供される。
【００１９】
本発明によれば、自端末が有するデータを外部に送受信可能な携帯端末におけるデータ管理プログラムであって、
当該携帯端末が有する前記データを、外部に移動する端末データ移動手順と、
ユーザによる当該携帯端末の使用可能な場所を、第１の使用可能エリアとして設定するとともに、前記第１の使用可能エリアと異なる場所であって当該携帯端末の使用可能な場所を、第２の使用可能エリアとして設定する端末使用範囲設定手順と、
設定された前記第１の使用可能エリアと前記第２の使用可能エリアを接続する交通機関から、行き交う任意の経路を選択する経路選択手順と、
当該携帯端末の現在位置する位置情報を取得する位置情報取得手順と、
前記位置情報取得手順によって取得した前記位置情報と、前記端末使用範囲設定手順によって設定された前記第１の使用可能エリア及び前記第２の使用可能エリアと、前記経路選択手順によって選択された前記任意の経路とに基づいて、当該携帯端末が使用可能か否かを判定する端末使用可否判定手順と、を備え、
前記端末使用可否判定手順は、
前記位置情報取得手順によって取得した前記位置情報が、前記端末使用範囲設定手順によって設定された前記第１の使用可能エリア若しくは前記第２の使用可能エリア、又は前記経路選択手順によって選択された前記任意の経路上に属している場合には、当該携帯端末を使用可能と判定し、当該携帯端末を外部に接続して当該携帯端末の前記データを受信し、
一方、前記位置情報取得手順によって取得した前記位置情報が、前記端末使用範囲設定手順によって設定された前記第１の使用可能エリア若しくは前記第２の使用可能エリア、又は前記経路選択手順によって選択された前記任意の経路上に属していない場合には、当該携帯端末を使用不可と判定し、当該携帯端末を外部に接続させない
ことをコンピュータに実行させることを特徴とするデータ管理プログラムが提供される。
【発明の効果】
【００２０】
本発明によれば、携帯端末の紛失や盗難にあった際、携帯端末のデータが悪用されることを早期に防止し、データへのアクセスを遮断する携帯端末データ記憶システム、携帯端末、データ記憶方法及びデータ管理方法が提供される。
【発明を実施するための最良の形態】
【００２１】
以下、本発明の実施の形態について、図面を用いて説明する。尚、すべての図面において、同様な構成要素には同様の符号を付し、適宜説明を省略する。
【００２２】
図１は、本発明に係る携帯電話機データ記憶システム１００（携帯端末データ記憶システム）を示した機能ブロック図である。
【００２３】
図１に示す携帯電話機データ記憶システム１００は、携帯電話機１（携帯端末）と、携帯電話機１が有する電話帳データ（図示せず）を送受信可能なネットワークサーバ３０（記憶装置）とを備えている。
【００２４】
図１の携帯電話機１は、ＣＰＵ２を有している。そして、ＣＰＵ２は、携帯電話機１が有する電話帳データ（図示せず）を、ネットワークサーバ３０に移動する電話帳制御部２１（端末データ移動手段）と、ユーザによる携帯電話機１の使用可能な場所を現在地（第１の使用可能エリア）として設定するとともに、現在地と異なる場所であって携帯端末の使用可能な場所を目的地（第２の使用可能エリア）として設定し、設定された現在地と目的地を接続する交通機関から、行き交う任意の経路を選択する設定記憶部２４と、携帯電話機１の現在の位置する位置情報を取得するＧＰＳ（Global Positioning System）制御部２７（位置情報取得手段）と、ＧＰＳ制御部２７によって取得した現在の位置情報と、設定記憶部２４によって設定された現在地及び目的地と、選択された任意の経路とに基づいて、携帯電話機１が使用可能か否かを判定する現在位置判別部２８（端末使用可否判定手段）と、を備えている。
【００２５】
現在位置判別部２８は、ＧＰＳ制御部２７に設けられており、ＧＰＳ制御部２７によって取得した現在の位置情報が、設定記憶部２４によって設定された現在地若しくは目的地、又は選択された任意の経路上に属している場合には、携帯電話機１を使用可能と判定し、携帯電話機１をネットワークサーバ３０に接続して携帯電話機１の電話帳データ（図示せず）を読み出し、一方、ＧＰＳ制御部２７によって取得した現在の位置情報が、設定記憶部２４によって設定された現在地若しくは目的地、又は選択された任意の経路上に属していない場合には、携帯電話機１を使用不可と判定し、携帯電話機１をネットワークサーバ３０に接続させないように動作する。
【００２６】
ネットワークサーバ３０は、電話帳制御部２１によって移動された携帯電話機１の電話帳データ（図示せず）を受信するとともに、携帯電話機１から接続されたときは電話帳データ（図示せず）を読み出し可能に記憶する電話帳データ記憶部３１（装置データ受信手段及び装置データ送信手段）を、備えている。
【００２７】
また、ＣＰＵ２は、電話帳制御部２１が、電話帳データ（図示せず）の各種機能を設定するための電話帳データ設定機能呼出部２２と、設定記憶部２４によって現在地と目的地の登録が終わった後、携帯電話機１を使用する際に、電話帳データ（図示せず）をネットワークサーバ３０から呼び出すための電話帳データ呼出部２３を備えている。
【００２８】
また、ＣＰＵ２は、設定記憶部２４が、ユーザによって入力され設定される現在地と目的地を設定するための現在地・目的地登録部２５（端末使用範囲設定手段及び経路選択手段）を備えている。
【００２９】
この現在地・目的地登録部２５は、現在地と目的地を接続する交通機関や幹線道路などの交通手段や交通経路を任意に選択することができ、例えば、タッチパネルを用いてユーザに選択させることにより、現在地及び目的地と、交通手段や交通経路による任意の経路を登録する。
【００３０】
ＧＰＳ制御部２７は、現在位置判別部２８を備えるとともに、内部に有するＧＰＳアンテナ（図示せず）によるＧＰＳ機能により、現在の位置情報を取得する機能を備えている。
【００３１】
また、ＣＰＵ２は、電話帳データ呼出部２３と連動して動作する電話帳データ閲覧部２９を備え、現在位置判別部２８によってネットワークサーバ３０と接続された場合には、電話帳データ記憶部３１から電話帳データ（図示せず）を読み出し、電話帳データ閲覧部２９が電話帳をユーザに閲覧可能に表示する。
【００３２】
次に、携帯電話機１のハードウェアの構成について、図を用いて説明する。
【００３３】
図２は、携帯電話機１を構成するハードウェアブロック図である。
【００３４】
図２に示す携帯電話機１は、ＣＰＵ（Central Processing Unit）２と、バス（bus）３と、ＲＯＭ（Read Only Memory）４と、作業用メモリ５と、記憶部６と、キー入力部７と、キー８と、通信制御部９と、通信部１０とを備えている。
【００３５】
ＣＰＵ２は、図１に示した機能を実行するために、携帯電話機１を統括制御する中央演算処理部として機能しており、バス３を介して各部と接続されている。
【００３６】
バス３は、携帯電話機１の内部に設けられた各部を接続する伝送路である。
【００３７】
ＲＯＭ４は、ＣＰＵ２が実行するための各種制御プログラムやデータなどの固定的なデータを格納している。
【００３８】
作業用メモリ５は、ＲＡＭ（Random Access Memory）によって構成される書き換え可能なメモリであり、ＣＰＵ２がプログラムを実行する上で一時的に必要とされるデータを格納する。
【００３９】
記憶部６は、ユーザによって入力される設定記憶部２４の現在地・目的地登録部２５によって登録される現在地や目的地などの位置設定情報、又は電話帳データ（図示せず）などを記憶する記憶回路である。
【００４０】
キー入力部７は、携帯電話機１に備え付けられたキー８の入力を受け付ける入力回路であり、キー８は、押圧動作により入力可能となる英数字や日本語入力が可能なキーである。
【００４１】
通信制御部９は、通信部１０の通信を制御する制御回路であり、通信部１０はネットワークサーバ３０とネットワーク接続を行う通信部である。
【００４２】
次に、図１の携帯電話機データ記憶システム１００の全体動作について、シーケンス図を用いて説明する。
【００４３】
図３は、携帯電話機データ記憶システム１００の全体動作を示すシーケンス図である。
【００４４】
まず、携帯電話機１は、ユーザによる携帯電話機１への入力動作を検出すると、電話帳制御部２１の電話帳データ設定機能呼出部２２が、予め記憶部６に登録されている電話帳データ（図示せず）を呼び出す（ステップＳ０１）。
【００４５】
そして、電話帳データ設定機能呼出部２２は、呼び出した電話帳データ（図示せず）を、ネットワークサーバ３０に向けて移動するように送信する（ステップＳ０３）。
【００４６】
ネットワークサーバ３０は、送信された電話帳データ（図示せず）を受信するとともに、その電話帳データ（図示せず）を電話帳データ記憶部３１に格納する（ステップＳ０５）。
【００４７】
一方、携帯電話機１は、設定記憶部２４の現在地・目的地登録部２５が、ユーザによって入力される現在地と目的地の入力を受け付けるとともに、その経路を登録し、バス３を介して記憶部６に、現在地及び目的地と経路を記憶する（ステップＳ０７）。
【００４８】
その後、ユーザが携帯電話機１の使用を開始すると、電話帳データ呼出部２３が、携帯電話機１から電話帳データ（図示せず）の呼び出しを開始するとともに、ＧＰＳ制御部２７がＧＰＳ機能によって携帯電話機１の現在の位置情報を取得する（ステップＳ０９）。
【００４９】
そして、携帯電話機１は、現在位置判別部２８が、現在の位置情報が現在地・目的地登録部２５で登録した現在地もしくは目的地、又はその経路にあるか否かを判定する（ステップＳ１１）。
【００５０】
そして、携帯電話機１がステップＳ０７において設定した設定範囲内にある場合には、携帯電話機１の通信部１０を介してネットワークサーバ３０に接続して、電話帳データ記憶部３１に接続される（ステップＳ１３）。
【００５１】
従って、携帯電話機１は、ネットワークサーバ３０の電話帳データ記憶部３１に接続することができるので、電話帳データ記憶部３１に格納した電話帳データ（図示せず）を読み出すことができ、ユーザは電話帳を閲覧することができる（ステップＳ１４）。
【００５２】
一方、ステップＳ１１において、携帯電話機１の現在の位置情報が、現在地・目的地登録部２５において登録した現在地もしくは目的地、又はその経路に位置していない場合には、ネットワークサーバ３０に接続することができない（後述するステップＳ１５）。
【００５３】
これにより、本実施の形態では、携帯電話機１が、携帯電話機１の現在の位置情報を取得して、その位置情報が登録された現在地もしくは目的地、又はその経路に位置していない場合には、ネットワークサーバ３０に接続することができないので、携帯電話機１を紛失したり盗難にあったとしても、携帯電話機１が悪用されることを防止することができる。
【００５４】
次に、本実施の形態に係る携帯電話機１の単独動作について、フローチャートを用いて説明する。
【００５５】
図４は、本実施の形態に係る携帯電話機１の単独動作について、フローチャートで示したものである。
【００５６】
図４のフローチャートにおいて、図３の全体動作と同一の処理を施すところには、同一のステップを付すことにする。
【００５７】
図４のフローチャートから分かるように、本実施の形態である携帯電話機データ記憶システム１００は、携帯電話機１の処理によってなされており、図３のシーケンス図との差異は、ステップＳ０８と、ステップＳ１５である。
【００５８】
従って、ステップＳ０８とステップＳ１５とについて、説明する。
【００５９】
ステップＳ０７において、携帯電話機１の現在地・目的地登録部２５により現在地及び目的地とその経路が登録された後、ユーザが携帯電話機１の使用を開始すると、ステップＳ０８として、携帯電話機１の電話帳データ呼出部２３により電話帳データ閲覧部２９を起動させるとともに、携帯電話機１からネットワークサーバ３０の電話帳データ（図示せず）の呼び出しを開始する（ステップＳ０８）。
【００６０】
その後、ステップＳ１１においてＧＰＳ制御部２７によって取得する現在の位置情報が、現在地・目的地登録部２５によって設定される設定範囲内にあれば、電話帳データ呼出部２３がネットワークサーバ３０に接続されるので、電話帳データ閲覧部２９は、電話帳データ記憶部３１から電話帳データ（図示せず）を読み出すことにより、ユーザに電話帳を閲覧可能にしている。
【００６１】
また、ステップＳ１５では、ステップＳ１１において携帯電話機１の現在の位置情報が現在地・目的地登録部２５において登録した現在地もしくは目的地、又はその経路に位置していない場合には（ステップＳ１１のＮＯ）、ネットワークサーバ３０に接続することができないようになっている（ステップＳ１５）。
【００６２】
以上説明したように本実施の形態によれば、携帯電話機データ記憶システム１００は、登録した現在地と目的地、そして現在地から目的地までの任意の経路において、携帯電話機１の現在の位置情報が属していない場合には、ネットワークサーバ３０に移動した電話帳データ（図示せず）を閲覧することができないので、携帯電話機１を紛失したり盗難にあった際に、電話帳データ（図示せず）の悪用を早期に遮断することができる。
【００６３】
また、本実施の形態によれば、携帯電話機１の現在の位置情報をトリガとしているので、ユーザがわざわざ暗証番号を入力する手間がなく、今までの携帯電話機１で使用していた電話帳データ（図示せず）の参照と同じ操作によって電話帳データ（図示せず）を参照することができる。
【００６４】
また、本実施の形態によれば、ネットワークサーバ３０の電話帳データ記憶部３１に電話帳データ（図示せず）を移動させ、携帯電話機１が電話帳データ記憶部３１の電話帳データ（図示せず）を読み出して閲覧するようにしているので、ユーザと異なる他人が携帯電話機１の電話帳データ（図示せず）のコピーを試みても、電話帳データ（図示せず）の複製を防止することができる。
【００６５】
また、本実施の形態によれば、携帯電話機１の電話帳データ（図示せず）をネットワークサーバ３０で管理することにより、ユーザが携帯電話機１を機種変更して携帯電話機本体が変わった場合でも、ネットワークサーバ３０に接続すれば、ユーザの電話帳データ（図示せず）を閲覧することが可能となるので、携帯電話機同士の電話帳データ（図示せず）をコピーする必要がなくなり、電話帳データ（図示せず）を管理する手間を省くことができる。
【００６６】
また、本実施の形態では、現在地・目的地登録部２５が、現在地と目的地を設定するようになっていたが、本実施の形態はこれに限らず、例えば、ユーザの通常位置する駅名・地名、在住する地名・地域、又は勤務先などを登録することができる。
【００６７】
また、本実施の形態では、現在地・目的地登録部２５が電車や幹線道路などの交通機関により任意に登録するようになっていたが、本実施の形態はこれに限らず、現在地・目的地登録部２５は、例えば、スキー場やゴルフ場、遊園地などの場所を任意に設定することができ、交通手段や交通経路を、適宜、選択可能に設定することができる。
【００６８】
以上、図面を参照して本発明の実施形態について述べたが、これらは本発明の例示であり、上記以外の様々な構成を採用することもできる。
【００６９】
例えば、本実施の形態では、電話帳データ（図示せず）をネットワークサーバ３０に移動させ、携帯電話機１が電話帳データ記憶部３１から電話帳データ（図示せず）を読み出し電話帳の閲覧を許可する方式を採用していたが、本実施の形態はこれに限定されるものではなく、例えば、携帯電話機１の本体に外部記憶部としてのＳＤ（Secure Digital）カード（図示せず）などの外部メモリカードを使用するようにしても良い。
【００７０】
ここで、この場合を他の実施形態として、携帯電話機１の単独動作について、フローチャートを用いて説明する。
【００７１】
図５は、他の実施の形態に係る携帯電話機１の単独動作について、フローチャートで示したものである。
【００７２】
図５のフローチャートにおいて、図４のフローチャートと同一の処理を施すところには、同一のステップを付すことにする。
【００７３】
図５のフローチャートが、図４のフローチャートと異なるステップは、ステップＳ０４と、ステップＳ２１と、ステップＳ２３のステップの３箇所である。
【００７４】
しかしながら、これらの３箇所のステップでは、いずれも電話帳データ（図示せず）の移動先を、ネットワークサーバ３０からＳＤカードに変更したことによる差異だけであり、基本的に同じ処理を行うので、説明が重複するため省略する。
【００７５】
このように、ＳＤカードを用いた場合には、ネットワークサーバ３０を用いた場合より、より簡単な構成で携帯電話機１の悪用を防止するシステムを実現することができる。
【００７６】
また、上述の実施の形態では、電話帳データ（図示せず）を具体例として説明したが、本実施の形態はこれに限定されるものではなく、例えば、デジタルカメラで撮影した画像ファイルや、音声を録音した音声ファイルであっても良く、携帯電話機１がデータとして取り扱うことが可能なものであって、他の記憶装置や記憶媒体に移動可能なものであれば良い。
【００７７】
また、上述の実施の形態では、携帯電話機１のＧＰＳ制御部２７が、ＧＰＳ機能により現在の位置情報を取得するようになっていたが、本実施の形態はこれに限定されるものではなく、例えば、無線ＬＡＮ（Local Area Network）によって、携帯電話機１が現在の位置情報を取得するようにしても良い。
【００７８】
また、上述の実施の形態では、現在地・目的地登録部２５が、現在地及び目的地と、任意の経路を設定するようになっていたが、本実施の形態はこれに限らず、更に現在地又は目的地から使用可能エリアを追加するようにしても良い。
【００７９】
この場合、現在地・目的地登録部２５が、現在地又は目的地から、追加された使用可能エリアまでの所定の経路を更に選択するとともに、現在位置判別部２８が、追加された使用可能エリアとその所定の経路を含めて、使用可能か否か判定を行うようにすれば良い。
【図面の簡単な説明】
【００８０】
【図１】本実施の形態に係る携帯電話機データ記憶システムの機能を示した機能ブロック図である。
【図２】本実施の形態に係る携帯電話機の構成を示すハードウェアブロック図である。
【図３】本実施の形態に係る携帯電話機データ記憶システムの全体動作を示したシーケンス図である。
【図４】本実施の形態に係る携帯電話機の単独動作を示すフローチャートである。
【図５】他の実施の形態に係る携帯電話機の単独動作を示すフローチャートである。
【符号の説明】
【００８１】
１    携帯電話機
２    ＣＰＵ
３    バス
４    ＲＯＭ
５    作業用メモリ
６    記憶部
７    キー入力部
８    キー
９    通信制御部
１０    通信部
２１    電話帳制御部
２２    電話帳データ設定機能呼出部
２３    電話帳データ呼出部
２４    設定記憶部
２５    現在地・目的地登録部
２７    ＧＰＳ制御部
２８    現在位置判別部
２９    電話帳データ閲覧部
３０    ネットワークサーバ
３１    電話帳データ記憶部
１００    携帯電話機データ記憶システム
【図１】
2009260829.tif 000003
【図２】
2009260829.tif 000004
【図３】
2009260829.tif 000005
【図４】
2009260829.tif 000006
【図５】
2009260829.tif 000007